(57)【要約】【課題】本発明は、鍵穴の位置が大体分かっている時に、鍵先の微小な位置と角度とを正確に誘導することができ、視認しなくても鍵穴への鍵の挿入を容易とすることができる鍵穴錠を提供することである。【解決手段】鍵穴１３へ鍵先を案内するガイド面１７ａを有するガイド部１７をプラグ１６の表面に前記鍵穴１３への前記鍵先の挿入方向から見てプラグ１６に収まる大きさに設け、前記鍵穴１３の挿入方向から見た前記ガイド部１７のガイド面１７ａを前記鍵穴１３の長辺縁部１３ａと一致させ、前記鍵穴１３の周縁部における前記ガイド部１７のガイド面１７ａと一致させた前記鍵穴１３の長辺縁部１３ａ以外の部分（他方の長辺縁部１３ｂおよび２つの短辺縁部１３ｃ，１３ｄの部分）は、前記鍵穴１３の表面と同じ高さになるようにした。【選択図】図２
2012057360.tif 000002
【特許請求の範囲】
【請求項１】
鍵穴へ鍵先を案内するガイド面を有するガイドを前記鍵穴の回転部の表面に前記鍵穴への前記鍵先の挿入方向から見て前記鍵穴の回転部に収まる大きさに設け、前記鍵穴の挿入方向から見た前記ガイドのガイド面を前記鍵穴の縁と一致させ、
前記鍵穴の周縁部における前記ガイドのガイド面と一致させた前記鍵穴の縁以外の部分は、前記鍵穴の表面と同じ高さになるようにした鍵穴錠。
【請求項２】
前記鍵穴を長方形の矩形状に近似させたとき、前記鍵穴の縁の一辺と前記ガイドのガイド面とを一致させ、その他の前記鍵穴の縁の高さは前記鍵穴の表面と同じ高さになるようにした請求項１に記載の鍵穴錠。
【請求項３】
前記鍵穴を長方形の矩形状に近似させたとき、前記鍵穴の隣接する縁の二辺と前記ガイドのガイド面とを一致させ、その他の前記鍵穴の縁の高さは前記鍵穴の表面と同じ高さになるようにした請求項１に記載の鍵穴錠。
【請求項４】
前記鍵穴の前記回転部の表面における前記ガイドのガイド面と一致させた前記鍵穴の一つの縁以外の縁に前記鍵先の挿入時に前記鍵先に押し込められて前記鍵先の挿入方向に凹む可動部を有する押し込め機構を備えることを特徴とする請求項２に記載の鍵穴錠。
【請求項５】
前記鍵穴の前記回転部の表面における前記ガイドのガイド面と一致させた前記鍵穴の隣接する二つの縁以外の縁に前記鍵先の挿入時に前記鍵先に押し込められて前記鍵先の挿入方向に凹む可動部を有する押し込め機構を備えることを特徴とする請求項３に記載の鍵穴錠。
【請求項６】
前記鍵穴を長方形の矩形状に近似させたとき、矩形状の前記鍵穴の向かい合う長辺と前記ガイドのガイド面とを一致させた向かい合う長辺位置の２つのガイドの前記ガイド面には互いに逆向きの傾斜を持たせ、さらに矩形状の前記鍵穴の向かい合う短辺と前記ガイドのガイド面とを一致させた向かい合う短辺位置の２つのガイドの高さは、前記長辺と前記ガイド面を一致させた前記ガイドの傾斜の最も高い箇所と同じ高さにした請求項１に記載の鍵穴錠。
【請求項７】
前記鍵穴は、長方形の矩形状の長辺位置の縁の一辺に弓形に窪む凹部状の湾曲部が形成され、
前記ガイドのガイド面は、前記鍵穴の前記湾曲部と対応する形状の湾曲部を有する請求項２に記載の鍵穴錠。
【請求項８】
前記鍵穴は、長方形の矩形状の長辺位置の縁の一辺に弓形に突出する凸部状の湾曲部が形成され、
前記ガイドのガイド面は、前記鍵穴の前記湾曲部と対応する形状の湾曲部を有する請求項２に記載の鍵穴錠。
【請求項９】
前記ガイドのガイド面と一致させた前記鍵穴の一つの縁の一辺に弓形に湾曲する凸部状または凹部状の湾曲部が形成され、
前記ガイドのガイド面は、前記鍵穴の前記湾曲部と対応する形状の湾曲部を有する請求項４に記載の鍵穴錠。
【発明の詳細な説明】
【技術分野】
【０００１】
本発明は、南京錠や自動車や机の抽斗等さまざまなものに具備される錠の鍵穴の回転部の形状を改良した鍵穴錠に関する。
【背景技術】
【０００２】
一般に、南京錠や自動車や机の抽斗等さまざまなものに鍵穴錠が使用されている。従来の鍵穴錠として、例えば、特許文献１には、「すり鉢型の鍵穴」や、「畜光樹脂」による光る鍵穴が開示されている。
「すり鉢型の鍵穴」は、鍵穴の周壁部にすり鉢型の傾斜面を設けている。そして、すり鉢型の傾斜面に鍵先を突き当てて傾斜面に沿わせてすり鉢の底部側に移動させることで鍵先を鍵穴の近傍位置まで誘導する構成になっている。
【０００３】
「畜光樹脂」による光る鍵穴は、鍵穴の周壁部の畜光樹脂が光ることで鍵穴の位置を明示させる構成になっている。そして、夜間などのように鍵穴の周囲が暗い場合に、畜光樹脂が光る部分を利用者が目視することで、鍵穴の位置を確認できるようになっている。
【先行技術文献】
【非特許文献】
【０００４】
【非特許文献１】三協立山アルミ株式会社、″住宅建材サイト″、商品ガイド、セーフティー玄関引戸  ＭＫ、［online］、［平成２２年８月１日検索］、インターネット〈URL：http://www.genkan.net/details/hikido/mk/point2.html〉
【発明の概要】
【発明が解決しようとする課題】
【０００５】
特許文献１の「すり鉢型の鍵穴」は、鍵穴の周壁部のすり鉢型の傾斜面の底部は円形状になっている。そのため、すり鉢型の傾斜面の形状と鍵穴の形状との間の相互の関連性はないので、鍵先を鍵穴の中に挿入する際には、利用者が視認しながら鍵穴の形状に合わせて鍵先を鍵穴の中に挿入する作業が必要になる。この場合、例えば鍵穴を視認しないで鍵０先を鍵穴の中に差し込もうとすると鍵先が鍵穴の形状と微妙にずれ、きちんと差し込むことが困難となり、作業が手間取る可能性がある。さらに、暗い場所や、目が不自由な人が対処する場合には手探りで鍵穴の位置を確認しても上記の問題が生じる可能性が高い。
【０００６】
また、「畜光樹脂」による光る鍵穴は、畜光樹脂が光る部分を利用者が視認することで、鍵穴の位置を確認する作業が必要になる。そのため、この場合も鍵先を鍵穴の中に挿入する際には、利用者が視認しながら鍵穴の形状に合わせて鍵先を鍵穴の中に挿入する作業が必要になる。
【０００７】
本発明は上記事情に着目してなされたもので、その目的は、鍵穴の位置が大体分かっている時に、鍵先の微小な位置と角度とを正確に誘導することができ、視認しなくても鍵穴への鍵の挿入を容易に行うことができる鍵穴錠を提供することにある。
【課題を解決するための手段】
【０００８】
本発明の一態様は、鍵穴へ鍵先を案内するガイド面を有するガイドを前記鍵穴の回転部の表面に前記鍵穴への前記鍵先の挿入方向から見て前記鍵穴の回転部に収まる大きさに設け、前記鍵穴の挿入方向から見た前記ガイドのガイド面を前記鍵穴の縁と一致させ、前記鍵穴の周縁部における前記ガイドのガイド面と一致させた前記鍵穴の縁以外の部分は、前記鍵穴の表面と同じ高さになるようにした鍵穴錠である。
【０００９】
そして、上記構成では、鍵穴の回転部の表面に鍵穴の回転部に収まる大きさのガイドを設け、鍵穴から離れた位置にある鍵先をガイドのガイド面に突き当ててガイド面に沿って移動させることにより、鍵先の向きと位置とが正しくなるように鍵を鍵穴に誘導させる。これにより、鍵先を鍵穴の縁から鍵穴の中に容易に挿入させるようにしたものである。
【００１０】
好ましくは、前記鍵穴を長方形の矩形状に近似させたとき、前記鍵穴の縁の一辺と前記ガイドのガイド面とを一致させ、その他の前記鍵穴の縁の高さは前記鍵穴の表面と同じ高さになるようにした。
そして、上記構成では、鍵穴から離れた位置にある鍵先をガイドのガイド面に突き当ててガイド面に沿って移動させる。このとき、ガイド面に沿って長方形の矩形状に近似させた鍵穴の縁の一辺から鍵穴の中に容易に挿入させるようにしたものである。
【００１１】
好ましくは、前記鍵穴を長方形の矩形状に近似させたとき、前記鍵穴の隣接する縁の二辺と前記ガイドのガイド面とを一致させ、その他の前記鍵穴の縁の高さは前記鍵穴の表面と同じ高さになるようにした。
そして、上記構成では、鍵穴から離れた位置にある鍵先をガイドのガイド面に突き当ててガイド面に沿って移動させる。このとき、ガイド面に沿って長方形の矩形状に近似させた鍵穴の隣接する縁の二辺から鍵穴の中に容易に挿入させるようにしたものである。
【００１２】
好ましくは、前記鍵穴の前記回転部の表面における前記ガイドのガイド面と一致させた前記鍵穴の一つの縁以外の縁に前記鍵先の挿入時に前記鍵先に押し込められて前記鍵先の挿入方向に凹む可動部を有する押し込め機構を備える。
そして、上記構成では、鍵穴への鍵先の挿入時に鍵穴のガイドのガイド面と一致させた一つの縁以外の縁の可動部が鍵先に押し込められて前記鍵先の挿入方向に凹むことで、凹まない部分がガイド面となる。このとき、ガイド面に沿って長方形の矩形状に近似させた鍵穴の縁の一辺から鍵穴の中に容易に挿入させるようにしたものである。
【００１３】
好ましくは、前記鍵穴の前記回転部の表面における前記ガイドのガイド面と一致させた前記鍵穴の隣接する二つの縁以外の縁に前記鍵先の挿入時に前記鍵先に押し込められて前記鍵先の挿入方向に凹む可動部を有する押し込め機構を備える。  
そして、上記構成では、鍵穴への鍵先の挿入時に鍵穴のガイドのガイド面と一致させた鍵穴の隣接する二つの縁以外の縁の可動部が鍵先に押し込められて前記鍵先の挿入方向に凹むことで、凹まない部分がガイド面となる。このとき、ガイド面に沿って長方形の矩形状に近似させた鍵穴の隣接する縁の二辺から鍵穴の中に容易に挿入させるようにしたものである。
【００１４】
好ましくは、前記鍵穴を長方形の矩形状に近似させたとき、矩形状の前記鍵穴の向かい合う長辺と前記ガイドのガイド面とを一致させた向かい合う長辺位置の２つのガイドの前記ガイド面には互いに逆向きの傾斜を持たせ、さらに矩形状の前記鍵穴の向かい合う短辺と前記ガイドのガイド面とを一致させた向かい合う短辺位置の２つのガイドの高さは、前記長辺と前記ガイド面を一致させた前記ガイドの傾斜の最も高い箇所と同じ高さにした。
【００１５】
そして、上記構成では、長方形の矩形状の鍵穴の向かい合う長辺位置の２つのガイドのガイド面に互いに逆向きの傾斜面を付けることで、鍵先が自然と鍵穴に収まるように斜面が誘導するようにしたものである。  
好ましくは、前記鍵穴は、長方形の矩形状の長辺位置の縁の一辺に弓形の湾曲部が形成され、前記ガイドのガイド面は、前記鍵穴の前記湾曲部と対応する形状の湾曲部を有する。  
好ましくは、前記鍵穴は、長方形の矩形状の長辺位置の縁の一辺に弓形に突出する凸部状の湾曲部が形成され、前記ガイドのガイド面は、前記鍵穴の前記湾曲部と対応する形状の湾曲部を有する。  
好ましくは、前記ガイドのガイド面と一致させた前記鍵穴の一つの縁の一辺に弓形に湾曲する凸部状または凹部状の湾曲部が形成され、前記ガイドのガイド面は、前記鍵穴の前記湾曲部と対応する形状の湾曲部を有する。
【発明の効果】
【００１６】
本発明によれば、鍵穴の位置が大体分かっている時に、鍵先の微小な位置と角度とを正確に誘導することができ、視認しなくても鍵穴への鍵の挿入を容易に行うことができる鍵穴錠を提供することができる。また、心理的負担も減少させることが出来る。
【図面の簡単な説明】
【００１７】
【図１】典型的なシリンダー錠の一例を示すもので、（Ａ）はシリンダー錠の鍵穴の周辺部分を示す平面図、（Ｂ）は鍵を示す平面図。
【図２】本発明の第１の実施の形態の鍵穴錠を示すもので、（Ａ）は鍵を示す平面図、（Ｂ）はシリンダー錠の鍵穴の周辺部分を示す斜視図、（Ｃ）はシリンダー錠の鍵穴の周辺部分を示す平面図。
【図３】第１の実施の形態の鍵を鍵穴の中に挿入させる動作を説明するもので、（Ａ）は鍵先を鍵穴のガイドのガイド面に突き当てた状態を示す平面図、（Ｂ）は鍵先が尖った形状の鍵が鍵穴に誘導される途中の状態を示す側面図、（Ｃ）は鍵先が鍵穴に挿入された状態を示す側面図。
【図４】本発明の第２の実施の形態を示すもので、（Ａ）はシリンダー錠の鍵穴の周辺部分を示す斜視図、（Ｂ）はシリンダー錠の鍵穴の周辺部分を示す平面図。
【図５】第２の実施の形態の鍵を鍵穴の中に挿入させる動作を説明する説明図。
【図６】本発明の第３の実施の形態を示し、（Ａ）はシリンダー錠の鍵穴の周辺部分を示す斜視図、（Ｂ）はシリンダー錠の鍵穴の周辺部分を示す平面図、（Ｃ）は鍵を鍵穴の中に挿入させる動作を説明する説明図。
【図７】本発明の第４の実施の形態を示し、（Ａ）はシリンダー錠の鍵穴の周辺部分を示す斜視図、（Ｂ）はシリンダー錠の鍵穴の周辺部分を示す平面図、（Ｃ）は鍵を鍵穴の中に挿入させる動作を説明する説明図。
【図８】本発明の第５の実施の形態の鍵穴錠の鍵穴の周辺部分を示す斜視図。
【図９Ａ】第５の実施の形態の鍵穴錠を示し、（Ａ）はシリンダー錠の鍵穴の周辺部分を示す平面図、（Ｂ）は（Ａ）の右からの投影図、（Ｃ）は（Ａ）の１−１線断面図、（Ｄ）は（Ａ）の２−２線断面図、（Ｅ）は（Ａ）の３−３線断面図、（Ｆ）は（Ａ）の４−４線断面図、（Ｇ）は（Ａ）の５−５線断面図、（Ｈ）は（Ａ）の６−６線断面図。
【図９Ｂ】第５の実施の形態の鍵穴錠を示し、（Ａ）はシリンダー錠の鍵穴の周辺部分を示す平面図、（Ｂ）は（Ａ）の下からの投影図、（Ｃ）は（Ａ）の１−１線断面図、（Ｄ）は（Ａ）の２−２線断面図、（Ｅ）は（Ａ）の３−３線断面図、（Ｆ）は（Ａ）の４−４線断面図、（Ｇ）は（Ａ）の５−５線断面図。
【図１０】本発明の第６の実施の形態の鍵穴錠を示すもので、（Ａ）は鍵を示す平面図、（Ｂ）は（Ａ）の１０Ｂ−１０Ｂ線断面図、（Ｃ）はシリンダー錠の鍵穴の周辺部分を示す斜視図、（Ｄ）はシリンダー錠の鍵穴の周辺部分を示す平面図。
【図１１】本発明の第７の実施の形態の鍵穴錠を示すもので、（Ａ）はシリンダー錠の鍵穴の周辺部分を示す斜視図、（Ｂ）はシリンダー錠の鍵穴の周辺部分を示す平面図。
【発明を実施するための形態】
【００１８】
［第１の実施の形態］  
（構成）  
図１は、鍵穴錠である典型的なシリンダー錠１の一例を示すもので、（Ａ）はシリンダー錠１の鍵穴２を示す平面図、（Ｂ）は鍵３を示す平面図である。図１（Ｂ）に示すように鍵３には、長板状のブレード４と、このブレード４の基端部に連結されたつまみ部５とが設けられている。ブレード４の両面には、シリンダー錠１の図示しない内鍵を移動させ回転可能にするための凹状の刻み部４ａが形成されている。ブレード４の先端部（鍵先）４ｂには先細の円弧面が形成されている。なお、ブレード４は、基本的には平たい長方形の断面を持っている。この断面に相当する形が、鍵穴２の形である。
【００１９】
また、シリンダー錠１は、図１（Ａ）に示すように円筒状のシリンダー６と、このシリンダー６に対して中心線を中心に軸回り方向に回転可能に支持された鍵穴２の回転部であるプラグ（内筒）７とを有する。プラグ７の中央部には、鍵３のブレード４が挿入される前記鍵穴２が形成されている。
【００２０】
図２（Ａ）〜（Ｃ）および図３（Ａ）〜（Ｃ）は、本発明の第１の実施の形態を示す。図２（Ａ）は、本実施の形態のシリンダー錠１１の鍵１２を示す平面図、（Ｂ）はシリンダー錠１１の鍵穴１３の周辺部分を示す斜視図、（Ｃ）はシリンダー錠１１の鍵穴１３の周辺部分を示す平面図である。
【００２１】
図２（Ａ）に示すように本実施の形態のシリンダー錠（鍵穴錠）１１の鍵１２のブレード１４は、最も簡単な形の一例として平たい長方形の断面を持つものを示す。ブレード１４の先端部（鍵先）には両側に先細のテーパー面１４ａが形成されている。
図２（Ｂ），（Ｃ）に示すように本実施の形態のシリンダー錠１１は、円筒状のシリンダー１５と、このシリンダー１５に対して中心線を中心に軸回り方向に回転可能に支持された鍵穴１３の回転部であるプラグ（内筒）１６とを有する。プラグ１６の中央部には、鍵１２のブレード１４が挿入される前記鍵穴１３が形成されている。本実施の形態の鍵穴１３は、プラグ１６の外周面形状である円の直径に沿ってプラグ１６の中央部にほぼ直線状に形成された長方形の矩形状になっている。ここで、プラグ１６には、長方形の矩形状の鍵穴１３の周縁部位に、長方形の長辺である２つの長辺縁部１３ａ，１３ｂと、長方形の短辺である２つの短辺縁部１３ｃ，１３ｄが形成されている。
【００２２】
プラグ１６の表面には、鍵穴１３へ鍵１２のブレード１４の先端部（鍵先）を案内するガイド面１７ａを有するガイド部１７が設けられている。このガイド部１７は、鍵穴１３への鍵１２のブレード１４の先端部の挿入方向から見て鍵穴１３の回転部であるプラグ１６に収まる大きさのほぼ半円の断面形状の凸部によって形成されている。このガイド部１７のガイド面１７ａは、プラグ１６の外周面形状である円と鍵穴１３の一方の長辺縁部１３ａの延長した直線（弦）に沿う垂直面によって形成されている。
【００２３】
そして、図２（Ｃ）に示すように鍵穴１３の挿入方向から見たガイド部１７のガイド面１７ａを鍵穴１３の一方の長辺縁部１３ａと一致させている。さらに、図２（Ｂ）に示すように鍵穴１３の周縁部におけるガイド部１７のガイド面１７ａと一致させた鍵穴１３の長辺縁部１３ａ以外の部分（他方の長辺縁部１３ｂおよび２つの短辺縁部１３ｃ，１３ｄの部分）は、前記鍵穴１３の表面と同じ高さになるように形成されている。
【００２４】
（作用）
次に、上記構成の作用について説明する。本実施の形態の鍵穴錠の使用時（開錠時や施錠時）に、鍵穴１３の位置が大体分かっている場合には、図３（Ａ）に示すように鍵１２のブレード１４の先端部をシリンダー錠１１のプラグ１６の鍵穴１３に接近させる。このとき、図３（Ａ）中に矢印ａに示すように鍵１２のブレード１４の先端部を鍵穴１３の近傍位置のガイド部１７のガイド面１７ａに向けて移動させて突き当てる。これにより、鍵１２のブレード１４の先端部がこのガイド面１７ａに支えられる。  
また、突き当てた際、仮にガイド面１７ａとブレード１４が平行となっていない場合でも、ガイド面１７ａに密着させるようにブレード１４を回転あるいはねじれを生じさせることによって、鍵穴１３に対するブレード１４の向きの自由度を制限することが出来る。
【００２５】
続いて、ガイド面１７ａに沿って鍵１２のブレード１４の先端部を図３（Ｂ）中に矢印ｂに示すように鍵穴１３の方向に向けて移動させることで、鍵穴１３に誘導される。このとき、ブレード１４の先端部の２つのテーパー面１４ａのうちのいずれか一方が鍵穴１３の２つの短辺縁部１３ｃ，１３ｄのうちのいずれか一方に当たることで鍵１２のブレード１４の先端部が鍵穴１３にスムーズに入るようにガイドされる。図３（Ｂ）に示すように鍵１２のブレード１４の先端部が鍵穴１３に入れば、図３（Ｃ）中に矢印ｃに示すように後は自動的に鍵１２のブレード１４全体が鍵穴１３に収まる。これにより、鍵１２のブレード１４の先端部の向きと位置とが正しくなるように鍵１２を鍵穴１３に誘導させることができる。  
また、矢印ｂの向きが仮に鍵穴１３の長辺方向に多少傾いていたとしても、ブレード１４の先端部が鍵穴１３に収まることによって、自動的にブレード１４全体が鍵穴１３に収まる向きに修正される。
【００２６】
（効果）  
そこで、上記構成のものにあっては次の効果を奏する。すなわち、本実施の形態の鍵穴錠では、シリンダー錠１１のプラグ１６の表面に、鍵１２のブレード１４の先端部（鍵先）を鍵穴１３へ案内するガイド面１７ａを有するガイド部１７を設けている。これにより、鍵穴１３の位置が大体分かっている時に、ガイド部１７によって鍵先が鍵穴１３にスムーズに入るようにガイドする役割を持たせることができる。そして、鍵先がこのガイド部１７に支えられた状態で、鍵穴１３に誘導されるので、鍵先の微小な位置と角度とを正確に誘導することができ、視認しなくても鍵穴１３への鍵１２の挿入を容易に行うことができる。
【００２７】
さらに、鍵１２の挿入方向から見て鍵穴１３の回転部であるプラグ１６の大きさに収まる大きさのガイド部１７のガイド面１７ａを鍵穴１３の一方の長辺縁部１３ａと一致させるように設け、鍵穴１３の周縁部におけるガイド部１７のガイド面１７ａと一致させた鍵穴１３の長辺縁部１３ａ以外の部分（他方の長辺縁部１３ｂおよび２つの短辺縁部１３ｃ，１３ｄの部分）は、前記鍵穴１３の表面と同じ高さになるように形成している。この構成によって、鍵穴１３の回転部であるプラグ１６とガイド部１７とを固定して一体構造にすることができ、必要最小限の大きさのガイド部１７で鍵穴１３への鍵１２のアプローチ方向を制限し、鍵先の微小な位置と角度とを正確に誘導することが実現できる。
【００２８】
また、特に、図２（Ａ）に示すように裏表の区別が無い鍵１２で先が尖った形状を持つ鍵先である場合、この尖った鍵先の部分が鍵穴１３に入れば、後は自動的に鍵１２のブレード１４全体が鍵穴１３に収まるので、視認しなくても鍵穴１３への鍵１２の挿入を一層、容易に行うことができる。
【００２９】
［第２の実施の形態］  
（構成）  
図４（Ａ），（Ｂ）および図５は、本発明の第２の実施の形態を示す。本実施の形態は、第１の実施の形態（図２（Ａ）〜（Ｃ）および図３（Ａ）〜（Ｃ）参照）の鍵穴錠のシリンダー錠１１の鍵穴１３の周辺部分の構成を次の通り変更した変形例である。
【００３０】
すなわち、本実施の形態のシリンダー錠１１は、鍵穴１３を長方形の矩形状に近似させたとき、鍵穴１３の隣接する縁の二辺（長辺縁部１３ａと短辺縁部１３ｃ）に沿った形状のガイド部２１を設けたものである。
本実施の形態のガイド部２１には、第１の実施の形態と同様に長辺縁部１３ａと一致させた第１のガイド面１７ａと、新たに短辺縁部１３ｃと一致させた第２のガイド面１７ｂとを設けている。第２のガイド面１７ｂは、プラグ１６の表面に対して垂直に立設された垂直面によって形成されている。これにより、ガイド部２１には、長辺縁部１３ａと一致させた第１のガイド面１７ａと、短辺縁部１３ｃと一致させた第２のガイド面１７ｂとによってＬ字状の屈曲部２１ａが形成されている。
【００３１】
また、図３（Ｂ）に示すように鍵穴１３の周縁部におけるガイド部２１の第１のガイド面１７ａと一致させた鍵穴１３の長辺縁部１３ａと、第２のガイド面１７ｂと一致させた短辺縁部１３ｃ以外の部分（他方の長辺縁部１３ｂおよび短辺縁部１３ｄの部分）は、前記鍵穴１３の表面と同じ高さになるように形成されている。
【００３２】
（作用）  
次に、上記構成の作用について説明する。本実施の形態の鍵穴錠の使用時（開錠時や施錠時）に、鍵穴１３の位置が大体分かっている場合には、図５に示すように鍵１２のブレード１４の先端部をシリンダー錠１１のプラグ１６の鍵穴１３に接近させる。このとき、図５中に矢印ａに示すように鍵１２のブレード１４の先端部を鍵穴１３の近傍位置のガイド部２１の第１のガイド面１７ａに向けて移動させて突き当てる。これにより、鍵１２のブレード１４の先端部がこの第１のガイド面１７ａに支えられる。
【００３３】
続いて、ブレード１４の先端部を鍵穴１３のガイド部２１の第１のガイド面１７ａに当接させたままの状態で、図５中に矢印ｂに示すように鍵１２のブレード１４の先端部を鍵穴１３の近傍位置のガイド部２１の第２のガイド面１７ｂに向けて移動させて突き当てる。これにより、鍵１２のブレード１４の先端部がこの第２のガイド面１７ｂにも支えられる。
【００３４】
その後、第１のガイド面１７ａおよび第２のガイド面１７ｂに沿って鍵１２のブレード１４の先端部を鍵穴１３の方向に向けて移動させることで、鍵穴１３に誘導され、ブレード１４の先端部が鍵穴１３にスムーズに入るようにガイドされる。鍵１２のブレード１４の先端部が鍵穴１３に入れば、後は自動的に鍵１２のブレード１４全体が鍵穴１３に収まる。これにより、鍵１２のブレード１４の先端部の向きと位置とが正しくなるように鍵１２を鍵穴１３に誘導させることができる。
【００３５】
（効果）  
そこで、本実施の形態では、鍵穴１３の隣接する縁の二辺（長辺縁部１３ａと短辺縁部１３ｃ）に沿った形状のガイド部２１を設け、このガイド部２１には鍵穴１３の長辺縁部１３ａと一致させたガイド面１７ａと、短辺縁部１３ｃと一致させたガイド面１７ｂとを設けている。そして、鍵穴１３の他方の長辺縁部１３ｂおよび短辺縁部１３ｄの部分は、前記鍵穴１３の表面と同じ高さになるように形成されている。
【００３６】
これにより、鍵１２のブレード１４の先端部を長方形の矩形状に近似させた鍵穴１３に挿入する作業時に、１辺のガイド面１７ａだけでは、そのガイド面１７ａ以外の方向に鍵１２のブレード１４の先端部がずれる可能性があるが、隣り合う２辺のガイド面１７ａ，１７ｂで鍵１２のブレード１４の先端部をガイドさせると、確実に鍵穴１３に鍵１２のブレード１４の先端部を入れることが出来る。特に、鍵１２が裏表共通の場合は、確実に差し込むことが可能となる。そのため、第１実施形態と同様に、鍵１２のブレード１４の先端部の向きと位置とが正しくなるように鍵１２を鍵穴１３に誘導させることができる。
【００３７】
［第３の実施の形態］  
（構成）  
図６（Ａ）〜（Ｃ）は、本発明の第３の実施の形態を示す。本実施の形態は第１の実施の形態（図２（Ａ）〜（Ｃ）および図３（Ａ）〜（Ｃ）参照）の鍵穴錠であるシリンダー錠１１の鍵穴１３の周辺部分の構成を次の通り変更した変形例である。
【００３８】
本実施の形態のシリンダー錠１１では、プラグ１６の表面に鍵穴１３への鍵１２のブレード１４の挿入方向に凹む可動部３１を有する押し込め機構３２を設けたものである。ここで、プラグ１６の表面は、長方形の矩形状の鍵穴１３の１つの長辺縁部１３ａに沿う線と対応する部分で２つの半円形状部分３３ａ，３３ｂに分離されている。
【００３９】
分離された２つの部分の一方の半円形状部分３３ａには、鍵穴１３の１つの長辺縁部１３ａを形成する固定側のガイド部３４が設けられている。このガイド部３４には、鍵穴１３の１つの長辺縁部１３ａを形成する部分に沿ってプラグ１６の表面と直交する方向に延設されるガイド面３４ａが形成されている。このガイド面３４ａが鍵１２のブレード１４の先端部（鍵先）を案内する機能をもつ。
【００４０】
また、分離された２つの部分の他方の半円形状部分３３ｂによって押し込め機構３２の可動部３１が形成されている。この可動部３１には、ガイド部３４のガイド面３４ａとの接触面側に鍵穴１３の他の１つの長辺縁部１３ｂと、２つの短辺縁部１３ｃ，１３ｄとを形成する鍵穴形成凹部３５が形成されている。
【００４１】
さらに、押し込め機構３２には、可動部３１をガイド部３４の表面と同一面位置で保持する図示しないリターンばねなどの弾性部材が設けられている。そして、鍵穴１３に鍵１２が挿入されていない非作動時（待機時）には、図示しないリターンばねのばね力により、可動部３１は、図６（Ａ）に示すようにガイド部３４の表面と同一面位置で保持されている。
【００４２】
（作用）  
次に、上記構成の作用について説明する。本実施の形態の鍵穴１３に鍵１２が挿入される動作時には、鍵穴１３の周縁部位に鍵１２のブレード１４の先端部（鍵先）を突き当てると図６（Ｃ）に示すように可動部３１が鍵１２のブレード１４の先端部（鍵先）に押し込められて鍵先の挿入方向に凹む状態に移動する。このとき、鍵１２のブレード１４の先端部は、凹まないガイド部３４側のガイド面３４ａに突き当てられることにより、鍵１２のブレード１４の先端部がこのガイド面３４ａに支えられる。このままの状態で、鍵１２のブレード１４の先端部をガイド面３４ａに沿って押し込むことにより、鍵１２のブレード１４の先端部が鍵穴１３に誘導され、ブレード１４の先端部が鍵穴１３にスムーズに入るようにガイドされる。鍵１２のブレード１４の先端部が鍵穴１３に入れば、後は自動的に鍵１２のブレード１４全体が鍵穴１３に収まる。これにより、鍵１２のブレード１４の先端部の向きと位置とが正しくなるように鍵１２を鍵穴１３に誘導させることができる。
【００４３】
（効果）  
そこで、本実施の形態では、次の効果を奏する。すなわち、本実施の形態の鍵穴錠では、プラグ１６の表面に鍵穴１３への鍵１２のブレード１４の挿入方向に凹む可動部３１を有する押し込め機構３２を設けている。これにより、可動部３１が鍵１２のブレード１４の先端部（鍵先）に押し込められて鍵先の挿入方向に凹む状態に移動したとき、鍵１２のブレード１４の先端部は、凹まないガイド部３４側のガイド面３４ａにガイドされて鍵穴１３に誘導させることができる。そのため、本実施の形態でも鍵先を正確に鍵穴１３に誘導することができ、視認しなくても鍵穴１３への鍵１２の挿入を容易に行うことができる。
【００４４】
さらに、本実施の形態では、鍵穴１３に鍵１２が挿入されていない非作動時（待機時）に図６（Ａ）に示すように鍵穴１３の周辺部分がほぼ平面状態で保持されている（上面が平らになる）ので、外観の見栄えがよくなる効果がある。また、鍵１２を鍵穴１３に差し込む際に、可動部３１が鍵穴１３への鍵１２のブレード１４の挿入方向に凹みながら凹まないガイド部３４側のガイド面３４ａがガイドとなるため、押し込み量（高さ）に応じて鍵１２のブレード１４をねじる方向の力が働き、より鍵穴１３に挿入しやすくなる効果がある。  
なお、本実施の形態のガイド部３４のガイド面３４ａと一致させた鍵穴１３の一つの長辺縁部１３ａに弓形に湾曲する凸部状または凹部状の湾曲部を形成し、ガイド部３４のガイド面３４ａに鍵穴１３の湾曲部と対応する形状の湾曲部を設けた構成にしてもよい。この場合は、特に、鍵１２のブレード１４の先端部を鍵穴１３の近傍位置のガイド部３４のガイド面３４ａに向けて移動させて突き当てる際に、ブレード１４の湾曲部をガイド部３４のガイド面３４ａの凸部状または凹部状の湾曲部に合わせることにより、鍵穴１３に対するブレード１４の向きの自由度を制限することが出来る効果がある。
【００４５】
［第４の実施の形態］  
（構成）  
図７（Ａ）〜（Ｃ）は、本発明の第４の実施の形態を示す。本実施の形態は、第３の実施の形態（図６（Ａ）〜（Ｃ）参照）の押し込め機構３２と、第２の実施の形態（図４（Ａ），（Ｂ）および図５参照）のように鍵穴１３を長方形の矩形状に近似させたとき、鍵穴１３の隣接する縁の二辺（長辺縁部１３ａと短辺縁部１３ｃ）に沿った形状のガイド部４１とを組み合わせたものである。
【００４６】
本実施の形態では、プラグ１６の表面で分離された２つの部分の一方の半円形状部分３３ａに鍵穴１３の隣接する縁の二辺（長辺縁部１３ａと短辺縁部１３ｃ）に沿った形状のガイド部４１が設けられている。
本実施の形態のガイド部４１には、第３の実施の形態と同様に長辺縁部１３ａと一致させた第１のガイド面４１ａと、新たに短辺縁部１３ｃと一致させた第２のガイド面４１ｂとを設けている。第２のガイド面４１ｂは、プラグ１６の表面に対して直交する方向に延設された垂直面によって形成されている。これにより、ガイド部４１には、長辺縁部１３ａと一致させた第１のガイド面４１ａと、短辺縁部１３ｃと一致させた第２のガイド面４１ｂとによってＬ字状の屈曲部４１ｃが形成されている。
【００４７】
また、プラグ１６の表面で分離された２つの部分の他方の半円形状部分３３ｂによって押し込め機構３２の可動部４２が形成されている。本実施の形態の可動部４２には、鍵穴１３の他の１つの長辺縁部１３ｂと、１つの短辺縁部１３ｄとを形成するほぼＬ字状の鍵穴形成凹部４３が形成されている。
【００４８】
さらに、押し込め機構３２には、可動部４２をガイド部４１の表面と同一面位置で保持する図示しないリターンばねなどの弾性部材が設けられている。そして、鍵穴１３に鍵１２が挿入されていない非作動時（待機時）には、図示しないリターンばねのばね力により、可動部４２は、図７（Ａ）に示すようにガイド部４１の表面と同一面位置で保持されている。
【００４９】
（作用・効果）  
本実施の形態の作用については第３の実施の形態とほぼ同様である。たたし、本実施の形態では特に、鍵穴１３の周縁部位に鍵１２のブレード１４の先端部（鍵先）を突き当てると図７（Ｃ）に示すように可動部４２が鍵１２のブレード１４の先端部（鍵先）に押し込められて鍵先の挿入方向に凹む状態に移動するとき、鍵１２のブレード１４の先端部は、凹まないガイド部４１側の第１のガイド面４１ａと、第２のガイド面４１ｂとによってガイドされて鍵穴１３に誘導させることができる。そのため、鍵１２のブレード１４の先端部を長方形の矩形状に近似させた鍵穴１３に挿入する作業時に、１辺のガイド面だけでは、そのガイド面以外の方向に鍵１２のブレード１４の先端部がずれる可能性があるが、隣り合う２辺のガイド面４１ａ，４１ｂで鍵１２のブレード１４の先端部をガイドさせると、確実に鍵穴１３に鍵１２のブレード１４の先端部を入れることが出来る。その結果、本実施の形態でも鍵先を正確に鍵穴１３に誘導することができ、視認しなくても鍵穴１３への鍵１２の挿入を容易に行うことができる。
【００５０】
さらに、本実施の形態でも、鍵穴１３に鍵１２が挿入されていない非作動時（待機時）に図７（Ａ）に示すように鍵穴１３の周辺部分がほぼ平面状態で保持されている（上面が平らになる）ので、第３の実施の形態と同様に外観の見栄えがよくなる効果がある。また、鍵１２を鍵穴１３に差し込む際に、可動部４２が鍵穴１３への鍵１２のブレード１４の挿入方向に凹みながら凹まないガイド部４１側の隣り合う２辺のガイド面４１ａ，４１ｂがガイドとなるため、押し込み量（高さ）に応じて鍵１２のブレード１４をねじる方向の力が働き、より鍵穴１３に挿入しやすくなる効果がある。
【００５１】
［第５の実施の形態］  
（構成）  
図８〜図９Ｂ（Ｇ）は、本発明の第５の実施の形態を示す。図８は、本実施の形態のシリンダー錠（鍵穴錠）１１の鍵穴５１の周辺部分を示す斜視図である。本実施の形態は、鍵穴５１の回転部であるプラグ（内筒）５２の構成を次の通り変更したものである。
【００５２】
すなわち、本実施の形態では、図９Ａの（Ａ）および図９Ｂの（Ａ）に示すようにプラグ５２の中央部に長方形の断面となる鍵穴５１が形成されている。プラグ５２には、長方形の矩形状の鍵穴５１の周縁部位に、長方形の長辺である２つの長辺縁部５１ａ，５１ｂと、長方形の短辺である２つの短辺縁部５１ｃ，５１ｄが形成されている。
【００５３】
本実施の形態のプラグ５２の表面には、鍵穴５１へ鍵１２（図２（Ａ）参照）のブレード１４の先端部（鍵先）を案内するガイド部５３が次の通り設けられている。このガイド部５３は、鍵穴５１への鍵１２のブレード１４の先端部の挿入方向から見て鍵穴５１の回転部であるプラグ５２に収まる大きさの凸部によって形成されている。
【００５４】
ガイド部５３の上面には、長方形の鍵穴５１の周囲に４面の誘導斜面（ガイド面）５３ａ〜５３ｄが形成されている。長方形の鍵穴５１の向かい合う長辺である２つの長辺縁部５１ａ，５１ｂと一致させた向かい合う長辺位置の２つの誘導斜面５３ａ，５３ｂは、図９Ａの（Ｂ）の投影図に示すように互いに逆向きの傾斜を持たせている。ここで、図９Ａの（Ｃ）〜（Ｈ）は、図９Ａの（Ａ）の１〜６の位置の断面図、図９Ｂの（Ｃ）〜（Ｇ）は、図９Ｂの（Ａ）の１〜５の位置の断面図である。  
【００５５】
一方の誘導斜面５３ａは、長方形の鍵穴５１の短辺である２つの短辺縁部５１ｃ，５１ｄのうちの一方の短辺縁部５１ｃとシリンダー１５と同じ高さで接し、鍵穴５１の他方の短辺縁部５１ｄとはシリンダー１５との交点では最も高く、鍵穴５１の短辺縁部５１ｃとの交点では一番低くなるよう傾斜が設けられている。  
同様に、誘導斜面５３ｂは、一方の短辺縁部５３ｄとシリンダー１５と同じ高さで接し、他方の短辺縁部５３ｃとはシリンダー１５との交点では最も高く、鍵穴の短辺縁部５１ｄとの交点では一番低くなるよう傾斜が設けられている。
【００５６】
（作用）  
次に、上記構成の作用について説明する。本実施の形態の鍵穴錠の使用時（開錠時や施錠時）には、鍵１２のブレード１４の先端部をシリンダー錠１１のプラグ５２の鍵穴５１に接近させる。このとき、長方形の矩形状の鍵穴５１の向かい合う長辺位置の２つの誘導斜面５３ａ，５３ｂに互いに逆向きの傾斜面を付けることで、鍵先が自然と鍵穴５１に収まるように誘導斜面５３ａ，５３ｂが誘導するようにしたものである。
【００５７】
（効果）  
そこで、上記構成のものにあっては、鍵穴５１の位置が大体分かっている時に、鍵先の微小な位置と角度とを正確に誘導することができ、視認しなくても鍵穴５１への鍵１２の挿入を容易に行うことができる鍵穴錠を提供することができる。
【００５８】
［第６の実施の形態］  
（構成）  
図１０（Ａ）〜（Ｄ）は、本発明の第６の実施の形態を示す。図１０（Ａ）は、本実施の形態のシリンダー錠１１の鍵６１を示す平面図、（Ｂ）は（Ａ）の１０Ｂ−１０Ｂ線断面図、（Ｃ）はシリンダー錠１１の鍵穴７１の周辺部分を示す斜視図、（Ｄ）はシリンダー錠１１の鍵穴７１の周辺部分を示す平面図である。本実施の形態は、第１の実施の形態（図２（Ａ）〜（Ｃ）および図３（Ａ）〜（Ｃ）参照）の鍵穴１３の形状を次の通り変更した変形例である。
【００５９】
すなわち、本実施の形態では、図１０（Ａ）に示す鍵６１が使用される。この鍵６１には、長板状のブレード６２の両側にシリンダー錠１１の図示しない内鍵を移動させ回転可能にするための凸凹状の刻み部６３が形成されている。ブレード６２の板面には、長手方向に沿って伸びる溝６４が形成されている。これにより、ブレード６２の断面は、図１０（Ｂ）に示すように平たい長方形の中央部に弓形に湾曲する湾曲部６５が形成された形状に成形されている。
【００６０】
また、シリンダー錠１１は、円筒状のシリンダー７２と、このシリンダー７２に対して中心線を中心に軸回り方向に回転可能に支持された鍵穴７１の回転部であるプラグ（内筒）７３を有する。プラグ７３の中央部の鍵穴７１は、鍵６１のブレード６２の断面に相当する形に形成されている。本実施の形態の鍵穴７１は、第１の実施の形態の鍵穴１３の２つの長辺縁部１３ａ，１３ｂの部分にブレード６２の湾曲部６５に相当する弓形に窪む凹部状の湾曲部７４が形成された形状に成形されている。
【００６１】
プラグ７３の表面には、鍵穴７１へ鍵６１のブレード６２の先端部（鍵先）を案内するガイド面７５ａを有するガイド部７５が設けられている。このガイド部７５は、鍵穴７１への鍵６１のブレード６２の先端部の挿入方向から見て鍵穴７１の回転部であるプラグ７３に収まる大きさのほぼ半円の断面形状の凸部によって形成されている。このガイド部７５のガイド面７５ａには、プラグ１６の外周面形状である円と鍵穴７１の一方の長辺縁部１３ａの延長した直線（弦）に沿う垂直面に湾曲部７４と対応する湾曲部７６を形成した形状に形成されている。そして、図１０（Ｄ）に示すように鍵穴７１の挿入方向から見たガイド部７５のガイド面７５ａおよび湾曲部７６を鍵穴７１の一方の長辺縁部１３ａおよび湾曲部７４と一致させている。
【００６２】
（作用・効果）  
本実施の形態の作用については第１の実施の形態とほぼ同様である。たたし、本実施の形態では特に、鍵６１のブレード６２の先端部を鍵穴７１の近傍位置のガイド部７５のガイド面７５ａに向けて移動させて突き当てる際に、ブレード６２の湾曲部６５をガイド部７５のガイド面７５ａの湾曲部７６に合わせることにより、鍵穴７１に対するブレード６２の向きの自由度を制限することが出来る。
【００６３】
続いて、ガイド面７５ａに沿って鍵６１のブレード６２の先端部を鍵穴７１の方向に向けて移動させることで、鍵６１のブレード６２の先端部が鍵穴７１にスムーズに入るようにガイドされる。鍵６１のブレード６２の先端部が鍵穴７１に入れば、後は自動的に鍵６１のブレード６２全体が鍵穴７１に収まる。これにより、鍵６１のブレード６２の先端部の向きと位置とが正しくなるように鍵６１を鍵穴７１に誘導させることができる。
【００６４】
これにより、本実施の形態でも第１の実施の形態と同様に鍵穴７１の位置が大体分かっている時に、ガイド部７５によって鍵先が鍵穴７１にスムーズに入るようにガイドする役割を持たせることができる。そして、鍵先がこのガイド部７５に支えられた状態で、鍵穴７１に誘導されるので、鍵先の微小な位置と角度とを正確に誘導することができ、視認しなくても鍵穴７１への鍵６１の挿入を容易に行うことができる。
【００６５】
［第７の実施の形態］  
（構成）  
図１１（Ａ），（Ｂ）は、本発明の第７の実施の形態を示す。図１１（Ａ）は、本実施の形態のシリンダー錠１１の鍵穴７１の周辺部分を示す斜視図、（Ｂ）はシリンダー錠１１の鍵穴７１の周辺部分を示す平面図である。本実施の形態は、第６の実施の形態（図１０（Ａ）〜（Ｄ）参照）の鍵穴７１の形状を次の通り変更した変形例である。
【００６６】
すなわち、第６の実施の形態では、鍵穴７１の２つの長辺縁部１３ａ，１３ｂの部分に鍵６１のブレード６２の湾曲部６５に相当する弓形に窪む凹部状の湾曲部７４が形成され、ガイド部７５のガイド面７５ａに鍵穴７１の一方の長辺縁部１３ａの延長した直線（弦）に沿う垂直面に上記湾曲部７４と対応する弓形に窪む凹部状の湾曲部７６を形成した構成を示した。これに対し、本実施の形態では、鍵穴７１の２つの長辺縁部１３ａ，１３ｂの部分に鍵６１のブレード６２の湾曲部６５に相当する弓形に突出する凸部状の湾曲部８１が形成され、ガイド部７５のガイド面７５ａに鍵穴７１の一方の長辺縁部１３ａの延長した直線（弦）に沿う垂直面に上記湾曲部８１と対応する弓形に突出する凸部状の湾曲部８２を形成したものである。
【００６７】
（作用・効果）  
本実施の形態の作用については第６の実施の形態とほぼ同様である。たたし、本実施の形態では特に、鍵６１のブレード６２の先端部を鍵穴７１の近傍位置のガイド部７５のガイド面７５ａに向けて移動させて突き当てる際に、ブレード６２の湾曲部６５をガイド部７５のガイド面７５ａの凸部状の湾曲部８２に合わせることにより、鍵穴７１に対するブレード６２の向きの自由度を制限することが出来る。
【００６８】
続いて、ガイド面７５ａに沿って鍵６１のブレード６２の先端部を鍵穴７１の方向に向けて移動させることで、鍵６１のブレード６２の先端部が鍵穴７１にスムーズに入るようにガイドされる。鍵６１のブレード６２の先端部が鍵穴７１に入れば、後は自動的に鍵６１のブレード６２全体が鍵穴７１に収まる。これにより、鍵６１のブレード６２の先端部の向きと位置とが正しくなるように鍵６１を鍵穴７１に誘導させることができる。
【００６９】
これにより、本実施の形態でも第１の実施の形態と同様に鍵穴７１の位置が大体分かっている時に、ガイド部７５によって鍵先が鍵穴７１にスムーズに入るようにガイドする役割を持たせることができる。そして、鍵先がこのガイド部７５に支えられた状態で、鍵穴７１に誘導されるので、鍵先の微小な位置と角度とを正確に誘導することができ、視認しなくても鍵穴７１への鍵６１の挿入を容易に行うことができる。
【００７０】
なお、本発明は上記実施の形態に限定されるものではない。上記実施の形態では、鍵穴１３への鍵１２の挿入を行うシリンダー錠１１について説明したが、必ずしも鍵先が挿入される鍵穴１３だけでなく、南京錠や自動車や机の抽斗等さまざまなものに具備される鍵穴錠でもよく、また、第６と第７の実施の形態を除けば例えばコインの投入口等にも適用が可能である。さらに、その他、本発明の要旨を逸脱しない範囲で種々変形実施できることは勿論である。
【産業上の利用可能性】
【００７１】
本発明は、南京錠や自動車や机の抽斗等さまざまなものに具備される鍵穴錠を使用する技術分野や、これを製造する技術分野に有効である。
【符号の説明】
【００７２】
１３…鍵穴、１３ａ…長辺縁部（縁）、１３ｃ，１３ｄ…短辺縁部、１６…プラグ（回転部）、１７…ガイド部、１７ａ…ガイド面。
【図１】
2012057360.tif 000003
【図２】
2012057360.tif 000004
【図３】
2012057360.tif 000005
【図４】
2012057360.tif 000006
【図５】
2012057360.tif 000007
【図６】
2012057360.tif 000008
【図７】
2012057360.tif 000009
【図８】
2012057360.tif 000010
【図９Ａ】
2012057360.tif 000011
【図９Ｂ】
2012057360.tif 000012
【図１０】
2012057360.tif 000013
【図１１】
2012057360.tif 000014